(57)【要約】【課題】義歯床に埋め込んだ写真を視認するだけで義歯の使用者を迅速に特定できると共に、義歯床に埋め込んだＱＲコード（登録商標）をデジタルカメラ付き携帯電話で写すことにより予め登録された使用者情報を読み取ることができる有床義歯を提供する。【解決手段】有床義歯１０は、義歯床１２に義歯２０を植立して成る。義歯床１２に、使用者に関する写真３０を設け、外部より視認可能とする。義歯床１２に設けられた凹み１４若しくは孔を備え、この凹み１４若しくは孔内に写真３０を配設し、透明封止材（透明レジン１６）にて埋め込む。【選択図】図１
2013111157.tif 000002
【特許請求の範囲】
【請求項１】
義歯床に義歯を植立して成る有床義歯において、
前記義歯床に、使用者に関する写真を設け、外部より視認可能としたことを特徴とする有床義歯。
【請求項２】
前記義歯床に設けられた凹み若しくは孔を備え、
該凹み若しくは孔内に前記写真を配設し、透明封止材にて埋め込んだことを特徴とする請求項１に記載の有床義歯。
【請求項３】
口内の上側に取り付けられる前記義歯床の前記義歯が植立された箇所以外の部分に前記写真を配設したことを特徴とする請求項１又は請求項２に記載の有床義歯。
【請求項４】
義歯床に義歯を植立して成る有床義歯において、
前記義歯床に、使用者に関する情報を特定するためのＱＲコード（登録商標）を設け、外部より読取可能としたことを特徴とする有床義歯。
【請求項５】
前記義歯床に設けられた凹み若しくは孔を備え、
該凹み若しくは孔内に前記ＱＲコード（登録商標）を配設し、透明封止材にて埋め込んだことを特徴とする請求項４に記載の有床義歯。
【発明の詳細な説明】
【技術分野】
【０００１】
本発明は、介護施設などで多数の義歯の中から使用者を迅速に、然も、確実に判別することができる有床義歯に関するものである。
【背景技術】
【０００２】
従来老人ホームや介護施設などでは、多人数の有床義歯や人工歯（義歯）を扱っている場合が多く、それら多数の義歯所有者を特定する一般的な方法として、有床義歯、或いは、義歯にＩＣチップを入れたり貼り付ける方法があるが、チップが大きく現実的に義歯の中に入れるのは難しい。また、義歯床の中にＩＣチップを入れたとしても、義歯床が大きくなるので違和感が出てしまう。またＩＣチップの読み取り装置が必要であるためコスト的にも高額であった。
【０００３】
また、義歯に文字を記入または印刷し個人情報を判別する方法があるが、義歯を毎日強力な洗剤で洗浄するため文字を印刷しても消えてしまう。また、義歯の表面に窪みを設けて名前などを入れる方法もあるが、長い間に窪みにプラークが溜まり不潔になりやすく、窪みにより舌感も悪かった。また、所有者の識別情報が刻印された金属シートや半透明のレジンプレートを埋入する方法もあるが、この方法は大量の個人情報を取り扱えななかった。また、義歯にバーコードを入れる方法があるが、バーコードを検知する機械が高額であった。
【０００４】
そこで、老人ホームや介護施設或いは病院などでは義歯が置き忘れられた場合、義歯の使用者を捜す方法として、完成した義歯のレジン床（義歯床）に、装着使用時の目視困難となる部位へ、使用者のネームを埋設一体化させているものがある。そして、義歯床に埋設一体化させたネームを判読することにより使用者を容易に特定できるようにしていた（特許文献１参照）。
【０００５】
また、近年核家族化が進み、老人人口の中で１人暮らし老人と老人夫婦だけの世帯の比率が増加してきており、老人の義歯装着率も増加している。また、老人人口が増えると、それに伴って認知症の症状による徘徊も増加してきている。
【０００６】
そこで、入れ歯（義歯）の義歯床部に電子タグを埋め込み、埋め込まれた電子タグと電子タグの識別情報と関連づけられた情報を記憶するデータベースに登録し、インターネット回線を利用して使用者情報を追跡できるものがある。そして、非接触型の電子タグ読取装置や所定箇所に設けられた受信アンテナなどで電子タグの情報が読み込まれると、登録情報と照合が行われコンピュータや携帯電話などの表示端末に情報が表示される。これにより、認知症の症状による徘徊で、迷子で保護された場合などに、義歯の識別情報から身元を割り出せるようにしていた（特許文献２参照）。
【特許文献１】特開２００３−１８０７１３号公報
【特許文献２】実用新案登録第３１３９６３５号公報
【発明の開示】
【発明が解決しようとする課題】
【０００７】
しかしながら、前者の義歯においては同姓同名の使用者が複数人いる場合には、同じ名前が義歯に設けられるため使用者を特定し難かった。このため、義歯の使用者の特定を迅速にできないという問題があった。また、文字は多数の直線や曲線が複雑に絡み合って構成されているため、特に、老眼の使用者は複雑な文字を読み難く迅速に義歯の使用者を特定し難いという問題があった。
【０００８】
また、後者においては、義歯の識別情報から身元を割り出すには、非接触型の電子タグ読取装置や受信アンテナなどを用いてコンピュータや携帯電話などの表示端末に情報を表示しなければならない。このため、非接触型の電子タグ読取装置や受信アンテナを手配しなければならず、このシステムを導入するためには多大なコストがかかってしまうと言う問題があった。
【０００９】
本発明は、係る従来技術の課題を解決するために成されたものであり、義歯床に埋め込んだ写真を視認するだけで義歯の使用者を迅速に特定できると共に、義歯床に埋め込んだＱＲコード（登録商標）をデジタルカメラ付き携帯電話で写すことにより予め登録された使用者情報を読み取ることができる有床義歯を提供することを目的とする。
【課題を解決するための手段】
【００１０】
即ち、本発明の有床義歯は、義歯床に義歯を植立して成るものであって、義歯床に、使用者に関する写真を設け、外部より視認可能としたことを特徴とする。
【００１１】
また、請求項２の発明の有床義歯は、上記に加えて、義歯床に設けられた凹み若しくは孔を備え、該凹み若しくは孔内に写真を配設し、透明封止材にて埋め込んだことを特徴とする。
【００１２】
また、請求項３の発明の有床義歯は、請求項１又は請求項２の何れかにおいて、口内の上側に取り付けられる義歯床の義歯が植立された箇所以外の部分に写真を配設したことを特徴とする。
【００１３】
また、請求項４の発明の有床義歯は、義歯床に義歯を植立して成るものであって、義歯床に、使用者に関する情報を特定するためのＱＲコード（登録商標）を設け、外部より読取可能としたことを特徴とする。
【００１４】
また、請求項５の発明の有床義歯は、請求項４に加えて、義歯床に設けられた凹み若しくは孔を備え、該凹み若しくは孔内にＱＲコード（登録商標）を配設し、透明封止材にて埋め込んだことを特徴とする。
【発明の効果】
【００１５】
本発明によれば、義歯床に、使用者に関する写真を設け、外部より視認可能としたので、例えば請求項２の如く、義歯床に設けられた凹み若しくは孔を備え、この凹み若しくは孔内に写真を配設し、透明封止材にて埋め込めば、義歯に配設した写真を有床義歯の外部から視認することができる。これにより、義歯床に埋設した写真の使用者を特定することが可能となる。従って、写真に義歯使用者の顔を写しておけば、介護施設や高齢者の受け入れ施設などで職員がまとめて義歯の洗浄やメンテナンスなどが行われた場合でも、写真を視認するだけで直ぐに使用者本人の有床義歯を探し出すことができる。また、老眼で物品を視認しづらくなった高齢者でも、介護施設や高齢者の受け入れ施設などで洗浄やメンテナンスなどが行われた際、多数まとめられた有床義歯の中から、写真を視認するだけで、使用者が自分の有床義歯を素早く確実に探し出すことができる。また、多数まとめられた有床義歯の中から、写真を視認するだけで介護施設や高齢者の受け入れ施設などの職員が素早く本人に渡せる。従って、有床義歯の大幅な利便性を図ることができるようになる。
【００１６】
また、請求項３の発明によれば、口内の上側に取り付けられる義歯床の義歯が植立された箇所以外の部分に写真を配設したので、義歯内側の義歯床の略全域に写真を設けることができる。これにより、例えば従来のように完成した義歯床に埋設一体化させた、使用者のネームの大きさに対して大きな写真を義歯床に配設することができるので、鮮明な写真を有床義歯の外部から視認することができる。従って、写真に有床義歯使用者の顔を写しておけば、介護施設や高齢者の受け入れ施設などで職員がまとめて有床義歯の洗浄やメンテナンスなどが行われた場合でも、写真を視認するだけで直ぐに使用者本人の有床義歯を探し出すことが可能となる。また、老眼で物品を視認しづらくなった高齢者でも、介護施設や高齢者の受け入れ施設などで洗浄やメンテナンスなどが行われ、多数まとめられた有床義歯の中から、義歯以外の部分に配設した大きな写真を外部から視認するだけで、介護施設や高齢者の受け入れ施設などの職員或いは使用者本人が有床義歯を迅速、且つ、確実に探し出すことができる。従って、有床義歯の大幅な利便性を図ることができるようになるものである。
【００１７】
また、請求項４の発明によれば、義歯床に義歯を植立して成るものであって、義歯床に、使用者に関する情報を特定するためのＱＲコード（登録商標）を設け、外部より読取可能としたので、例えば請求項５の如く、義歯床に設けられた凹み若しくは孔を備え、該凹み若しくは孔内にＱＲコード（登録商標）を配設し、透明封止材にて埋め込めば、デジタルカメラ付き携帯電話で当該ＱＲコード（登録商標）を写すことにより、予めＱＲコード（登録商標）に登録された使用者情報を読み取ることができる。これにより、有床義歯にＩＣチップを内蔵した従来の場合のように、格別な読み取り装置を使用しなくても、近年普及している携帯電話で義歯床に埋め込まれたＱＲコード（登録商標）の情報を読み取ることができる。従って、認知症の症状による徘徊で、迷子で保護された場合や、事故などで使用者本人の生命に係わる緊急時において、本発明の有床義歯は極めて有効となるものである。
【００１８】
特に、ＱＲコード（登録商標）読み取り装置として、一般に大半の人物が使用しているデジタルカメラを内蔵した携帯電話を使用できるので、周囲に携帯電話を使用者が居れば誰でもＱＲコード（登録商標）を読み取ることができる。また、デジタルカメラを内蔵した携帯電話を使用できるので、格別な読み取り装置が不要となり、コストも大幅に低減することが可能となる。従って、認知症の症状による徘徊で、迷子で保護された場合、容易に使用者本人の確認を行うことが可能になると共に、災害、事件などで身元確認が行われる場合であっても、迅速且つ確実に有床義歯使用者の身元確認を行うことができるようになるものである。
【図面の簡単な説明】
【００１９】
【図１】本発明の一実施例を示す有床義歯（上顎用）の平面図である（実施例１）。
【図２】本発明の一実施例を示す有床義歯の要部を示す縦断面図である。
【図３】本発明の一実施例を示す有床義歯（下顎用）の平面図である（実施例２）。
【図４】本発明の一実施例を示す有床義歯（上顎用）の平面図である（実施例３）。
【発明を実施するための最良の形態】
【００２０】
本発明は、介護施設や高齢者の受け入れ施設などの職員或いは老眼で物品を視認しづらくなった高齢者が多数まとめられた義歯の中から使用者の有床義歯を探しづらかったのを、介護施設や高齢者の受け入れ施設などの職員或いは使用者本人が有床義歯を迅速、且つ、確実に探し出すことができるのを最も主要な特徴とする。多数まとめられた義歯の中から有床義歯を迅速に、且つ、確実に探し出すという目的を、有床義歯の義歯床に使用者自身の写真を埋め込むという簡単な構成で実現した。
【実施例１】
【００２１】
次に、図面に基づき本発明の実施の形態を詳述する。図１は本発明の一実施例を示す有床義歯（上顎用）の平面図、図２は本発明の一実施例を示す有床義歯の要部を示す断面図、図３は本発明の一実施例を示す有床義歯（下顎用）の平面図をそれぞれ示している。
【００２２】
本実施形態における有床義歯１０は、上顎用と下顎用とから構成されている。上顎用の有床義歯１０は図１に示すように、義歯床１２と義歯２０と写真３０とから構成されている。義歯床１２には複数の義歯２０が植立されており、この義歯２０は義歯床１２周囲に実際の使用者の歯と略同等箇所に配置されている。尚、有床義歯１０は上顎用だけ単独使用、下顎用だけ単独使用しても差し支えない。また、図中４０はＱＲコード（登録商標）であり、後に詳細な説明を行う。
【００２３】
該上顎用の義歯床１２は、一般的な有床義歯に使用されているＰＭＭＡ等のアクリル系、ポリエーテルサルホン系、ポリカーボネート系などの樹脂にて構成され、舌に対応する部分にも当該樹脂が設けられている。また、義歯２０は、ポリメタクリル酸メチル、セラミックなどにて構成されている。尚、義歯床１２及び義歯２０は従来より周知のものであり形状や寸法など詳細な説明を省略する。
【００２４】
前記写真３０は、義歯床１２の一側（左奥歯側：図１では右側）に埋め込まれている。この写真３０は、有床義歯１０使用者の顔が写っているもので、主に有床義歯１０の使用者を容易に特定可能な顔写真が用いられる。そして、写真３０を義歯床１２に埋め込む場合、図２に示すように義歯床１２に所定の大きさの凹み１４を彫り込む。この凹み１４は、有床義歯１０を口内（図示せず）に装着した際、舌面側から彫り込まれる。尚、写真３０の埋め込み位置は義歯床１２の一側に限定されるものでなく、義歯床１２の外部から容易に視認可能であれば他の箇所に埋め込んでも差し支えない。
【００２５】
詳しくは凹み１４は、写真３０より約２〜５ｍｍ周囲が大きく彫り込まれると共に、深さ約０．５ｍｍ〜０．８ｍｍに彫り込まれている。そして、彫り込んだ凹み１４内に写真３０が入れられ、その上から歯科用の透明レジン１６（本発明の透明封止材に相当）で被覆される。その後、被覆した透明レジン１６は、その周囲の義歯床１２の厚さと略面一の厚さに研磨された後、略鏡面に磨かれる。これにより、有床義歯１０の外部から写真３０に写っている使用者本人の顔を視認できるようになっている。この場合、顔の向きは図示しないが写真３０は頭部が前歯側、顎部が奥歯側になるように埋め込まれるが、これ以外の向きであっても差し支えない。
【００２６】
また、義歯床１２に設けた凹み１４の代わりに義歯床１２の表裏（植立させた義歯２０側と、その反対側）を貫通させた貫通孔（以降孔と称す）を彫り込む。そして、その孔の深さの略中間に、孔の両側（義歯床１２の両面）から視認できるように二枚の写真３０の裏面を合わせて埋め込み、孔の両側から透明レジン１６で被覆しても差し支えない。その後、被覆した透明レジン１６は、その周囲の義歯床１２の厚さと略面一の厚さに研磨された後、略鏡面に磨かれる。この場合、義歯床１２の両面から使用者本人の顔写真を視認することができる。これにより、義歯床１２が表裏どちらの面に置かれても、介護施設や高齢者の受け入れ施設などの職員や使用者が写真３０を視認することができ、迅速、且つ、確実に有床義歯１０を探し出すことができる。
【００２７】
有床義歯１０は、透明レジン１６を使用しているので、変形や変色、クラックの発生による強度の低下などが生じることもない。尚、写真３０は有床義歯１０を口内に装着した際、舌の面側から視認可能に凹み１４内に入れられている。また、透明レジン１６は従来より周知のものであり、材質や温度管理など詳細な説明を省略する。
【００２８】
このように、義歯床１２に、使用者に関する写真３０を設け、外部より視認可能にすると共に、義歯床１２に凹み１４若しくは孔を設け、この凹み１４（孔）内に写真３０を配設し、透明レジン１６にて被覆して埋め込めば、義歯２０に配設した写真３０を有床義歯１０の表裏面どちらの外部からでも視認することができる。これにより、義歯床１２に埋設した写真３０の使用者を迅速に特定することが可能となる。
【００２９】
また、写真３０に有床義歯１０使用者の顔を写しておけば、介護施設や高齢者の受け入れ施設などで職員がまとめて義歯２０の洗浄やメンテナンスなどが行われた場合でも、有床義歯１０の外部から写真３０を視認するだけで直ぐに、当該有床義歯１０の使用者確認を行うことができる。また、老眼で物品を視認しづらくなった高齢者でも、介護施設や高齢者の受け入れ施設などで洗浄やメンテナンスなどが行われ、多数まとめられた有床義歯１０の中から、写真３０を視認するだけで、使用者が自分の有床義歯１０を素早く確実に探し出すことができる。
【００３０】
前記ＱＲコード（登録商標）４０は、マトリックス型二次元コードであり、白と黒の格子状のパターンで情報を表わすものでバーコードなどより大量の情報を入れられる。このＱＲコード（登録商標）４０が前記写真３０の反対側と成る義歯床１２の他側（右奥歯側：図１では左側）に埋め込まれている。即ち、義歯床１２の左奥歯側に写真３０、右奥歯側にＱＲコード（登録商標）４０を設けている。このＱＲコード（登録商標）４０は、前記写真３０同様に義歯床１２に凹み１４若しくは孔を設け、この凹み１４（孔）内にＱＲコード（登録商標）４０が埋め込まれている。他ＱＲコード（登録商標）４０の義歯床１２への埋め込みは、前記写真３０同様に構成されている。
【００３１】
ＱＲコード（登録商標）４０には、例えば、氏名、年齢、住所、電話番号などの他に血液型や掛かり付けの病院名、現在使用中の薬など有床義歯１０使用者に関する情報が登録されている。尚、ＱＲコード（登録商標）４０の埋め込み位置は義歯床１２の他側に限定されるものでなく、義歯床１２の外部から容易に視認可能であれば他の箇所に埋め込んでも差し支えない。尚、１つの有床義歯１０に写真３０とＱＲコード（登録商標）４０を設けたが、１つの有床義歯１０に写真３０とＱＲコード（登録商標）４０の両方を設けず、写真３０のみ、或いは、ＱＲコード（登録商標）４０のみを設けても差し支えない。
【００３２】
該ＱＲコード（登録商標）４０は、縦と横、二次元の図形を使って情報を記載する記号体系である二次元コードの一種である。このＱＲコード（登録商標）４０は、バーコードなどと同様に専用機器によるスキャンが基本であるが、携帯電話（携帯端末内蔵のデジタルカメラ）からの読み込みも可能になっている。即ち、ＱＲコード（登録商標）４０は、近年一般化されてきているデジタルカメラを備えた携帯電話（携帯電話には、予めＱＲコード（登録商標）４０読み取りソフトが組み込まれているものとする）で読み込むことができるようになっている。尚、ＱＲコード（登録商標）４０は既に周知のものであり、詳細な説明を省略する。
【００３３】
ここで、有床義歯１０へ写真３０或いはＱＲコード（登録商標）４０を埋め込む方法として、Ｉ：完成している有床義歯（図示せず）の義歯床１２に埋め込む方法と、ＩＩ：有床義歯（図示せず）を完成させる以前に埋め込む方法との、２種類の埋め込み方法があり、次に、それらの埋め込み方法の具体的な説明を行う。尚、上記Ｉ、ＩＩの番号を付与していない有床義歯は、写真３０或いはＱＲコード（登録商標）４０を埋め込んでいない義歯床１２を備えたものである。また、図示しないがＱＲコード（登録商標）４０を印刷する場合、透明レジン１６液が滲まない台紙が使用されると共にインクが使用される。該ＱＲコード（登録商標）４０は、パソコンなどが用いられて、有床義歯１０の使用者に関する情報が台紙にインク（印刷用トナーを含む）で印刷された後、ＱＲコード（登録商標）４０周囲に少しの余白が設けられて切断され、完成されているものとする。
【００３４】
Ｉ：完成している有床義歯の義歯床１２に埋め込む方法。１）完成された義歯床１２（この場合、既に店頭に置かれている有床義歯１０や、既に有床義歯１０使用者に使用されている有床義歯１０、或いは他の生産工場で製造された有床義歯１０などに設けられた義歯床１２）が図示しないマイクロモータに備えられた切削刃にて切削され、写真３０或いはＱＲコード（登録商標）４０を挿入可能な凹み１４が設けられる。２）予め用意された写真３０或いはＱＲコード（登録商標）４０が義歯床１２に貼り付けられる。
【００３５】
この場合、前述した如き、透明レジン１６側から写真３０或いはＱＲコード（登録商標）４０が視認可能に、厚さ約０．２ｍｍの透明レジン１６の液で凹み１４の底に貼り付けられる。３）貼り付けられた写真３０或いはＱＲコード（登録商標）４０の上に、更に透明レジン１６（歯科用即時重合レジン或いは光重合レジンなどを含む）で極力薄くなるように被覆（この場合、凹み１４よりも約０．２〜０．５ｍｍ厚）して、写真３０或いはＱＲコード（登録商標）４０が埋め込まれる。４）写真３０或いはＱＲコード（登録商標）４０を被覆した透明レジン１６は、一般の義歯研磨のように表面が滑沢になるようにバフ研磨仕上げが行われ、写真３０或いはＱＲコード（登録商標）４０が埋め込まれた有床義歯１０が完成する。
【００３６】
ＩＩ：有床義歯（図示せず）を完成させる以前に埋め込む方法。尚、義歯床１２は前述した如き、樹脂にて構成されているので、義歯床１２の製造時はゲル状化状態で使用される。１）有床義歯１０を完成させる以前の義歯床１２成形時、詳しくは、有床義歯１０製造時の義歯床１２成形時に、写真３０或いはＱＲコード（登録商標）４０の入る凹み１４が設けられる。このとき義歯床１２が硬化する以前は液化状態である。２）有床義歯１０を完成させる以前の義歯床１２成形時に、写真３０或いはＱＲコード（登録商標）４０の入る凹み１４を成形させた義歯床１２が作られる。
【００３７】
即ち、義歯床１２の成形時に、写真３０或いはＱＲコード（登録商標）４０を埋め込む位置に、当該写真３０或いはＱＲコード（登録商標）４０の大きさより約２〜５ｍｍ周囲が大きい雄型にて、凹み１４を成形し、その状態で硬化させる。このとき、複数の義歯２０の植立も同時に行われ、写真３０或いはＱＲコード（登録商標）４０を埋め込んでいない有床義歯１０を完成させる。尚、義歯床１２を成形する技術は従来より周知の技術であるため、詳細な説明を省略する。
【００３８】
３）完成させた有床義歯１０の凹み１４（義歯床１２に設けられた凹み１４）に、Ｉ：で完成させた有床義歯の義歯床１２に、写真３０或いはＱＲコード（登録商標）４０を埋め込む方法と同様にして、写真３０或いはＱＲコード（登録商標）４０が貼り付けられる。４）以降、Ｉ：完成させた有床義歯の義歯床１２に埋め込む方法と同様にして、写真３０或いはＱＲコード（登録商標）４０が埋め込まれた有床義歯１０が完成する。
【００３９】
このように、義歯床１２に、使用者に関する情報を特定するためのＱＲコード（登録商標）４０を設けて、外部より読取可能としている。そして、義歯床１２に設けられた凹み１４（孔）内にＱＲコード（登録商標）４０を配設し、透明レジン１６にて被覆して埋め込めば、携帯電話に内蔵されたデジタルカメラで当該ＱＲコード（登録商標）４０を写して、当該ＱＲコード（登録商標）４０に予め登録した住所、氏名、電話番号、血液型、掛かり付けの病院名、現在使用中の薬などの情報を読み取ることができる。
【００４０】
これにより、事故などで有床義歯１０の使用者の生命に係わる緊急時において、病気の種類などを素早く把握できるので、急患患者の対応を円滑に行うことができる。また、近年普及している携帯電話でＱＲコード（登録商標）４０の情報を読み取ることができるので、ＩＣチップを内蔵した従来の有床義歯のように、格別な読み取り装置が不要となり、コストも低減させることができる。また、認知症の症状による徘徊で、迷子で保護された場合などや、事故などで本人の生命に係わる緊急時において、本発明の有床義歯１０は極めて有効である。
【００４１】
特に、ＱＲコード（登録商標）４０読み取り装置として、一般に大半の人物が使用しているデジタルカメラを内蔵した携帯電話を使用できるので、周囲に携帯電話を所持している人が居れば誰にでもＱＲコード（登録商標）４０を読み取ることができ、大幅に汎用性を向上させることが可能となる。また、認知症の症状による徘徊で、迷子で保護された場合、容易に使用者本人の確認を行うことが可能になると共に、事故などで使用者本人の生命に係わる緊急時において極めて容易に使用者を特定し処置を施すことができるようになるものである。
【実施例２】
【００４２】
次に、図３には本発明の一実施例の有床義歯１０（下顎用）を示している。該下顎用の有床義歯１０は、前述の実施形態と略同じ構成を有している。以下、前述の実施の形態と異なる部分について説明する。尚、前述の実施の形態と同じ部分にはこれと同じ符号を付し、説明を省略する。また、下顎用の有床義歯１０は、従来より周知のものであり、詳細な説明を省略する。
【００４３】
有床義歯１０は、図３に示すように上顎用の有床義歯１０に設けられた義歯２０と噛み合う位置に対向して義歯２０が設けられると共に、義歯２０に沿って舌側に所定の幅で義歯床１２が形成されている。即ち、下顎用の有床義歯１０は、上顎用の有床義歯１０と異なり、義歯床１２は舌の部分が切り欠かれた状態に形成されている。他上顎用の有床義歯１０と同様に構成されると共に同様の効果を有している。
【実施例３】
【００４４】
次に、図４には本発明の一実施例の有床義歯１０（上顎用）を示している。該上顎用の有床義歯１０は、前述の実施形態と略同じ構成を有している。以下、前述の実施の形態と異なる部分について説明する。尚、前述の実施の形態と同じ部分にはこれと同じ符号を付し、説明を省略する。
【００４５】
有床義歯１０は、図４に示すように上顎用の有床義歯１０の義歯床１２に設けられた義歯２０以外の部分に写真３０を配設している。即ち、義歯床１２の義歯２０内側となる略全域に渡って、有床義歯１０の使用者の顔写真３０を配設している。この場合、写真３０が見やすければ、義歯床１２の義歯２０内側全域に限られず、義歯床１２全域の２／３〜１／３の写真３０の大きさであっても差し支えない。これにより、老眼や弱視など物品を視認しづらくなった高齢者でも、義歯床１２に設けた写真３０から使用者本人を特定することができ、使用者が他人の有床義歯１０を使用してしまうなどと言った不都合を未然に防止することができる。
【００４６】
このように、口内の上側に取り付けられる義歯床１２の義歯２０が植立された箇所以外の部分に写真３０を配設したので、義歯２０内側の義歯床１２の略全域に写真３０を配設することができる。これにより、例えば従来のように完成した義歯床１２に埋設一体化させた、持ち主のネームの大きさに対して大きな写真３０を義歯床１２に配設することができるので、写真３０を鮮明に視認することができる。また、写真３０に有床義歯１０所有者の顔を写しておけば、介護施設や高齢者の受け入れ施設などで職員がまとめて有床義歯１０の洗浄やメンテナンスなどを行った場合でも、義歯床１２に設けた写真３０を視認するだけで直ぐに本人確認を行うことができる。
【００４７】
特に、老眼や弱視で物品を視認しづらくなった高齢者でも、介護施設や高齢者の受け入れ施設などで洗浄やメンテナンスなどが行われ、多数まとめられた有床義歯１０の中から、義歯２０以外の部分に配設した大きな写真３０を視認するだけで、本人が自分の有床義歯１０を素早く確実に探し出すことができる。これにより、有床義歯１０の大幅な利便性を図ることができる。
【００４８】
尚、実施形態では、有床義歯１０を口内に装着した際、舌の面側に写真３０を埋め込んだが写真３０は舌の面側に限られず、舌の面側と反対側の面に埋め込んでも差し支えない。この場合、有床義歯１０を口内に装着した際、写真３０は義歯床１２と下顎との間に位置するので、口を開いた際、写真３０が口内に見えないので、義歯床１２が綺麗に見えて口内の見栄えが良い。
【００４９】
また、有床義歯１０の義歯床１２に使用者の写真３０を埋め込んだが、義歯床１２に埋め込むものは写真３０に限られず、有床義歯１０使用者の顔の特徴を描いたイラスト（好ましくは線画のイラスト）を用いても差し支えない。この場合、イラストは有床義歯１０使用者の顔の特徴を描いているので、当該有床義歯１０使用者の特定を容易に行うことができ、イラストも写真３０同様の効果を得ることができる。
【００５０】
また、写真３０（イラストを含む）に有床義歯１０使用者の氏名を入れても差し支えない。この場合、氏名は老眼で物品を視認しづらくなった高齢者でも容易に判別できる「平仮名」を使用する。これにより、介護施設や高齢者の受け入れ施設などで職員が有床義歯１０を探しやすくなると共に、使用者の顔の写真３０（イラストを含む）と「平仮名」を設けているので、更に有床義歯１０の使用者を迅速、且つ、確実に探し出すことができる。
【００５１】
また、実施形態では有床義歯１０の形状や寸法、材質などを記載したが、有床義歯１０の要旨を逸脱しない範囲内で有床義歯１０の形状や寸法、材質などを変更しても良いのは言うまでもない。勿論本発明は、上記各実施例のみに限定されるものではなく、この発明の趣旨を逸脱しない範囲で他の様々な変更を行っても本発明は有効である。
【符号の説明】
【００５２】
１０  有床義歯
１２  義歯床
１４  凹み（孔）
１６  透明レジン
２０  義歯
３０  写真
４０  ＱＲコード（登録商標）
【図１】
2013111157.tif 000003
【図２】
2013111157.tif 000004
【図３】
2013111157.tif 000005
【図４】
2013111157.tif 000006